(57)【要約】【課題】原稿の読み取りの開始手順を簡略化するために、画像読み取り装置の機能ボタンに割り付けるためのジョブを、情報処理装置で複数登録できても、装置構成が単純化している小型の読み取り装置では、表示器が制限されているため、機能ボタンに割り当てたジョブを、オペレータが確認できない問題があった。また、ジョブが変更されてもそれをスキャナを操作するオペレータが確認できなかった。【解決手段】登録されたジョブを変更した場合、前回印刷したときにおける一覧と比較し、違いがあった場合は、オペレータに違いがあることを通知し、画像読み取り装置に貼り付け可能なサイズで、登録されたジョブの一覧を表にして印刷することが可能な画像読み取り機能確認システムを提供する。【選択図】  図１０
2010041070.tif 000002
【特許請求の範囲】
【請求項１】
画像読取装置に複数の機能を設定し、前記複数の機能の設定情報を登録する機能設定登録手段を有する情報処理装置において、
前記機能設定登録手段に登録された機能設定情報を、前記画像読取装置および前記情報処理装置の少なくとも一方からの指示により出力することを特徴とする画像読取装置の機能設定の確認方法。
【請求項２】
前記画像読取装置は、前記機能設定登録手段により割り当てられた機能が選択可能な選択手段を有し、前記情報処理装置の機能設定情報は前記選択手段により選択されることを特徴とする請求項１に記載の画像読取装置の機能設定の確認方法。
【請求項３】
前記機能設定登録手段に登録された機能設定情報の有無を検知して、変更がある場合は前記画像読取装置および前記情報処理装置の少なくとも一方に通知することを特徴とする請求項１または請求項２に記載の画像読取装置の機能設定の確認方法。
【請求項４】
前記機能設定情報の出力を、前記画像読み取り装置からの指示によって行うことを特徴とする請求項１から請求項３の何れかに記載の画像読取装置の機能設定の確認方法。
【請求項５】
前記機能設定情報の出力は印刷装置による紙で行うことを特徴とする請求項１から請求項４の何れかに記載の画像読取装置の機能設定の確認方法。
【発明の詳細な説明】
【技術分野】
【０００１】
本発明は、原稿の画像を読み取り、画像データを出力する画像読み取り装置から出力される画像データを入力する情報処理装置において、画像読取装置の機能設定の確認方法に関するのものである。
【背景技術】
【０００２】
従来、原稿の読み取りを行う画像読取装置において、原稿の読み取りが行われる前に、オペレータが、画像読取装置に接続されたホストコンピュータ等の情報処理装置内のスキャナドライバや画像キャプチャアプリケーションを利用して、原稿画像読み取り時の解像度、画像サイズ、およびファイル形式などの設定を行ったうえで、読み取りを開始する。
【０００３】
この際の画像読み取り開始の指示を情報処理装置からではなく、画像読取装置から行えるようにしたものとして、特許文献１がある。特許文献１によると、画像読取装置から読み取り開始ボタンを押下すると、情報処理装置が連動し、予め情報処理装置に設定されているジョブに基づいた原稿の読み取りと、読み取られた画像の処理を実行できるようにしている。
【０００４】
また、このような画像読取システムでは、情報処理装置に複数登録されているジョブを、画像読取装置に設けられた複数のボタン（ボタンは表示によるものでも良い）と予め複数対応付けておけるようにしたものも知られている。
【特許文献１】特許第３４２８４３５号
【発明の開示】
【発明が解決しようとする課題】
【０００５】
ところで、原稿を電子データで扱う業務が増加するに伴い、オフィスにおいて机の上に置いて使用するオフィスユーザを対象とした、小型で機能を絞った読み取り装置の需要が増している。この種の画像読取装置は、装置構成を単純化するために表示器が制限されているものがある。
そのため、原稿読み取り手順を簡略化して、画像読取装置のジョブを情報処理装置で予め複数登録できて、かつ画像読取装置のボタンに割り振っておくことができても、ボタンに割り当てたジョブ内容をオペレータが画像読取装置において直接確認できない問題があった。
【０００６】
また、情報処理装置に登録したジョブの設定値を変更した場合に、オペレータが変更を確認できず、変更された設定値を認識しないまま、画像読取装置からの指示で画像の読み取りを開始してしまうことがあった。
【０００７】
本発明は、このような課題に鑑みてなされたものであり、表示器が制限された画像読取装置においても、容易に機能設定を確認できるようにすることで、読み取り作業を向上することができる画像読み取り機能確認方法を提供することを目的とする。
【課題を解決するための手段】
【０００８】
上記課題を解決し目的を達成するために、本発明による画像読取装置の機能設定の確認方法は、画像読取装置に複数の機能を設定し、前記複数の機能の設定情報を登録する機能設定登録手段を有する情報処理装置において、
前記機能設定登録手段に登録された機能設定情報を、前記画像読取装置および前記情報処理装置の少なくとも一方からの指示により出力することを特徴とする。
【発明の効果】
【０００９】
本発明によれば、表示器が制限された画像読取装置であっても、容易に機能設定を確認できて、原稿の読み取り作業を向上することが出来る。
【発明を実施するための最良の形態】
【００１０】
以下、本発明による画像読み取り機能確認方法を適用した一例の実施形態を図面に基づいて詳細に説明する。
【００１１】
図１は本実施形態における画像読み取りシステムの概略を示すブロック図である。画像読取装置としての本実施形態におけるスキャナ１０１は、情報処理装置１１０と接続する周知の汎用の接続インターフェースを備えるオートドキュメントフィーダー（ＡＤＦ）型の装置である。スキャナ１０１は汎用の通信ケーブル１０８を介して、情報処理装置１１０と接続される。
【００１２】
スキャナ１０１は、操作パネル１０３の指示に従って、原稿台１０７に置かれた原稿を原稿挿入口１０４から取り込み、原稿の搬送路である給紙口カバー１０２裏面に取り付けられた図示しない給紙ローラにより原稿を搬送する。図示していない画像読み取りセンサにより原稿の画像データが読み取られ、原稿排出口１０５より原稿を排出する。カバー開閉つまみ１０６は、原稿の紙詰まりなどが発生したときに原稿を取り除くときや、図示しない給紙ローラを交換するときなどに、給紙口カバー１０２を開閉するためのものである。
【００１３】
情報処理装置としての本実施形態におけるパーソナルコンピュータ(以下ＰＣと記す)には、ソフトウェアとして、ＰＣのＯＳプログラムや、ＰＣ接続のスキャナの情報や画像データを読み込むドライバソフトウェアを備える。また、スキャナから読み込んだ画像データを表示装置１１１へ表示したり、画像データを編集したりするソフトウェアや、メールソフトウェアや、画像データを指定のフォルダへ保存したりするソフトウェアや、プリンタ１１４へ出力するソフトウェアからなるアプリケーションソフトウェア群を有する。
ハードウェアとしては、それらプログラムやデータを格納するＲＡＭや、ＯＳやアプリケーションが格納されたＨＤＤ、各種処理を行うＣＰＵを搭載したマザーボードを備える。また、ＰＣには処理内容を表示する表示装置１１１やキーボード１１２、ポインティングデバイス１１３などが接続されている。
【００１４】
図２は本実施形態におけるスキャナ１０１上の操作パネル１０３の外観を示す図である。後述のようにＰＣ１１０にて複数登録した画像読み取りに関する機能は、本実施形態では、スキャナ１０１上では番号によって割り当てられる。操作パネル１０３は、機能が割り当てられたジョブ番号を表示する７セグメントＬＥＤ２０１と、機能が割り当てられたジョブ番号を選ぶための選択ボタン２０２、２０３を有する。また、原稿の画像読み取りを開始させるためのスタートボタン２０４と、画像読み取りを停止させるためのストップボタン２０５とを有し構成されている。なお、選択ボタン２０２が押下されるたびに、７セグメントＬＥＤに、１、２、３、・・・９と番号をカウントアップして表示し、選択ボタン２０３が押下されるたびに、７セグメントＬＥＤに、９、８、７、・・・１と番号をカウントダウンして表示する。画像読み取りの開始は、選択ボタン２０２、２０３を押下してジョブ番号を選択した上で、スタートボタン２０４を押下することによって読み取りを開始する。なお、本実施形態においては、ジョブ機能は１〜９の９つまで登録可能に設定されており、また、それらのジョブの機能とは別に、０番が選択可能で、これには後述するジョブ一覧の出力の指令を、ＰＣ１１０側に送信する機能が予め設定されている。
【００１５】
図３は、本実施形態におけるスキャナ１０１の構成を示すブロック図である。スキャナ１０１は、情報を伝達するシステムバス３０５と、ＡＤＦスキャナ部３０６にスキャン動作を
指示する処理を実行するＣＰＵ３０１と、ＡＤＦスキャナ部３０６にスキャン動作を指示する処理や読み
取り機能の設定情報などの各種データなどを格納する不揮発性の記憶媒体（本実施例ではフラッシュメモ
リとする）３０３とを有する。また、３０２は読み取られた画像データや各種のデータやプログラムなどを一時的に蓄積する
ＲＡＭ、３０４はオペレータからのスキャン指示や各種設定情報の読み取り指令や書き込み指令をＣＰＵ３０１に伝えたり、読み込まれた画像データをＰＣに送信する外部通信Ｉ／Ｆである。ＡＤＦスキャナ３０６はＣＰＵ３０１の指示によって画像を読み取ってＲＡＭ３０２に保存する。３０８は操作パネル１０３上に配置された７セグメントＬＥＤの表示を制御するＬＥＤ制御部で、３０７はＬＥＤに表示されるジョブ番号を選ぶための選択ボタンを制御するスイッチ制御部である。
【００１６】
図４は本発明に関するＰＣ１１０のソフトウェア構成を示す図である。４０１はオペレーティングシステム（ＯＳ）である。４０２はデバイスドライバであり、ＰＣに接続されているスキャナ１０１との接続を管理する。４０３はスキャナ１０１から画像を読み取る画像入力用ドライバであり、デバイスドライバ４０２を介してスキャナを制御する。汎用アプリケーションは、画像入力用ドライバ４０３を経由してスキャナ１０１から画像を取得することができる。
【００１７】
４０４はスキャンユーティリティであり、スキャンユーティリティ４０４（機能設定情報登録手段）はスキャナ１０１の指令ボタンと連動して画像の読み取りを行う。４０５はスキャナの状態を確認する状態確認モジュールである。状態確認モジュール４０５はＯＳ４０１起動時に起動し、一定時間毎にスキャナ１０１の状態情報を、デバイスドライバ４０２を介して読み取る。この際、スキャナ１０１から読み取った状態情報の中にスタートボタン２０４押下の情報が存在する場合は状態確認モジュール４０５がスキャンユーティリティ４０４を起動する。
【００１８】
これにより起動したスキャンユーティリティ４０４は、スキャナ１０１からのジョブ番号情報を読み取り、予め登録され割り当てられているジョブに基づき、画像入力用ドライバ４０３を介してスキャナ１０１から画像の読み取りを行う。スキャナからの番号情報が０番である場合には、指定されたプリンタへのジョブ一覧の出力を行う。
あるいはスキャンユーティリティ４０４の起動は、ＰＣ１１０でジョブ機能の設定を編集する場合など、ＰＣ１１０側からの操作によっても起動する。
【００１９】
スキャナに関するジョブの設定は、ＰＣ１１０の操作によりスキャンユーティリティ４０４を起動することによって変更することができる。図５は、ＰＣ１１０の操作により起動・表示される、本実施例におけるスキャンユーティリティ４０４のメイン画面である。図６は、図５に表示されるジョブ設定を編集・登録するための画面である。図７は、スキャナに関する設定を編集する設定画面である。なお、本実施例の設定表示画面は一例であり、必要に応じて変更可能である。
【００２０】
図５に示す画面では、現在登録されているジョブ機能の設定が表示される。
５０１は、登録されたジョブの一覧を表示するリストである。表示はリスト形式になっており、第１列目にはジョブ番号が表示されている。この番号は、スキャナ１０１のＬＥＤ２０１に表示されるジョブ番号と対応しており、本実施形態では１から９までの９行が表示される。
【００２１】
リスト５０１の第２列目は、登録されたジョブのタイトルを表示している。
リスト５０１の第３列目は、登録したジョブの機能を表示している。本実施例では、画像の読み取り後に読み取った画像を処理するジョブの機能の一例として、ファイルを指定フォルダに保存する「ファイル保存」と、ファイルをメーラーに添付する「メール添付」と、指定プリンタで印刷する「印刷」が設定可能である。しかしこれに限らずその他周知の汎用の機能が設定可能である。また、ＰＣによる、設定された画像処理のシステムについては、既知の方法や上記特許文献に記載の方法を採用することができる。
【００２２】
５０２は、リスト５０１で選択されているジョブについての、スキャナの設定情報を表示するスキャナ設定表示部である。
５０３は、リスト５０１で選択されているジョブの機能についての設定情報を表示する機能設定表示部である。５０４は、スキャンユーティリティ４０４を閉じるボタンである。
【００２３】
５０５はメニューバーであり、スキャンユーティリティ４０４に関わる操作のメニューがまとめられている。図５のリスト５０１で編集したいジョブ番号を選択して、メニューバー５０５中の「登録情報の編集」の項目を選択することによって、選択しているジョブ番号に関する設定情報を編集（変更）することができる。
【００２４】
図６に示す画面は図５のメイン画面上に別ウィンドウとして表示され、本実施例では図５のリスト５０１および機能設定表示部５０３に表示される機能に関する編集が行える。図６において、６０１は、ジョブのジョブタイトルを入力するエディットボックスである。６０２は機能選択コンボボックスであり、ファイル保存／メール添付／印刷を選択する。６０３は、図７のスキャナに関する設定画面を表示する設定ボタンである。
【００２５】
図６中、６０５以下は、選択されているジョブ機能に関する設定を行う設定部で、「ファイル保存」の機能が選択されている場合においては、同図のような設定項目が表示される。６０５はスキャン画像を保存するフォルダを入力するエディットボックスであり、６０４の参照ボタンで保存するフォルダを選択することができる。６０６は保存するスキャン画像のファイル名を入力するエディットボックスである。６０７は保存するスキャン画像のファイル形式を選択するコンボボックスであり、ＴＩＦＦやＪＰＥＧ等のファイル形式を選択できる。
他にも設定ボタン６０８を押下すると、６０７で選択したファイル形式の圧縮率などの、より詳細な設定が行うことができ、６０９のアクセス権の設定ボタンを押下すると、６０５で指定されたフォルダにアクセスする際に必要なアクセス権の設定を行うことができる。なお、６０５部分は、編集・登録が選択されているジョブ機能によって、それに適した項目が編集可能に表示される。図６ではファイル保存のジョブに対応して保存場所が編集可能であるが、例えば、メール添付のジョブについて編集・登録が選択されている場合には、送信先アドレスの入力部として表示される。
【００２６】
図７は、図６の設定ボタン６０３を押下すると  図６の画面上に別ウィンドウとして表示されるスキャナに関する設定画面であり、図５のスキャナの設定表示部５０２に表示される項目を設定する設定画面である。
７０１は、スキャン画像のモードを選択するコンボボックスであり、白黒／グレー／カラーなどのモードを選択する。７０２は、原稿サイズを選択するコンボボックスであり、Ａ４／Ａ５／Ｂ５／レターなどの用紙サイズを選択する。７０３は、読み取り解像度を選択するコンボボックスであり、１００ｄｐｉ／２００ｄｐｉ／３００ｄｐｉ／４００ｄｐｉ／６００ｄｐｉなどの解像度を選択する。７０４は、読み取り面の選択をするコンボボックスであり、片面／両面／白紙スキップなどを選択する。
【００２７】
上述のようにオペレータが登録情報についての編集を完了すると、図７の保存ボタンを押して図７に示す設定画面を閉じ、図６のＯＫボタンを押下して図６示す設定画面を閉じることにより、ジョブ設定の編集・登録が完了する。
【００２８】
また、メニューバー５０５中の「ジョブ一覧の印刷」を選択すると、リスト５０１に表示されている内容を一覧表にして、指定したプリンタから印刷することができる。また、ＰＣ１１０からのジョブ一覧の印刷は、メニューバー５０５からの指示によって行われるほかにも、後述の、図１０におけるステップＳ１００５で印刷実行を選択することによっても行われる。
【００２９】
印刷する表のサイズは、サイズの情報を予めスキャンユーティリティ４０４に保持しておくことができ、その情報を基に表を作成する。図８は、スキャンユーティリティ４０４によって登録されたジョブの一覧を印刷した時の概略図である。印刷内容については、本実施例では、第１列目にはジョブ番号、第２列目にはジョブタイトル、第３列目にはジョブの機能を表示している。
【００３０】
図８に示した印刷したジョブ一覧を、給紙口カバー１０２上に貼り付けた状態を図９に示す。図９のように、ジョブ一覧をスキャナの操作パネル１０３の近くに貼り付け可能なサイズに印刷する際に、ジョブタイトルなどの文言が長く、印刷する表の枠に入りきれない時は、８０２に示すように枠に入るように文言を詰めて印刷する。
また、リスト５０１に表示する内容は、メニューバー５０５中の「表示項目の設定」から、スキャナ設定表示部５０２、機能設定表示部５０３の内容も含めて、リスト中に追加や削除ができる。なお印刷する表のサイズは、指定されたプリンタへ出力するソフトウェアから設定しても良い。
【００３１】
ジョブ一覧を印刷しておくことにより、オペレータは印刷された紙をスキャナ１０１のそばに置いてジョブ内容を確認しながら、使用に適した機能が登録されているジョブ番号を選択することができる。これによってオペレータは、表示器が制限されたスキャナにおいても、ＰＣ１１０上でジョブ機能の番号への割り当てを確認する手間をかけずに、スキャナ１０１を操作するだけで原稿の読み取りを実行することができる。
【００３２】
ところが、ジョブ登録を行ったオペレータが、登録後にジョブ一覧を出力しなかった場合、スキャンユーティリティ４０４に登録されている現在のジョブ設定と、前回最後にジョブ一覧が印刷されたときのジョブ設定とが異なってしまう。そのため、特にスキャナ１０１を共有するオペレータがいる場合などに、スキャナ１０１を操作して原稿の読み取りを行う際、印刷されているジョブ一覧の内容が変更されていることを認識せずに画像読み取りを実行してしまうのを防ぐために、ジョブ一覧の変更をオペレータに通知する必要がある。
【００３３】
スキャンユーティリティ４０４は、ＰＣに登録されたジョブ機能の内容や、変更が容易に確認できるように、以下の処理を行う。図１０は、本実施形態におけるスキャンユーティリティ４０４の処理を示すフローチャートである。
【００３４】
ＰＣ１１０を操作してスキャンユーティリティ４０４を起動するか、スキャナ１０１を操作して、ジョブ番号を選択した上でスタートボタン２０４を押下することによって、スキャンユーティリティ４０４が起動される。
スキャンユーティリティ４０４が起動されると、ステップＳ１００１でジョブ編集の有無を確認する。
【００３５】
スキャンユーティリティ４０４の起動がＰＣ１１０からの起動である場合には、オペレータが編集を行わなければそのままステップＳ１００３に進む。オペレータが編集を行えばステップＳ１００２に進み、ジョブ設定の編集を受けつけ、ジョブ設定を登録してステップＳ１００３に進む。このときのジョブ設定の編集は、上述のように図５のメイン画面から行うことができる。
スキャナ１０１からの起動である場合には、自動的にジョブ編集なしの判断となりステップＳ１００３に進む。
【００３６】
ステップＳ１００３で、スキャンユーティリティ４０４は、最後にジョブの編集・登録が行われたより後に、ジョブ一覧が出力されたかどうか、つまりスキャンユーティリティ４０４に現在登録されているジョブ設定が、最後に一覧が印刷されたときのジョブ設定から変更されていないか否かを判定する。このときのスキャンユーティリティ４０４による、ジョブ一覧が出力済みか否かの判断は、次のように行うことができる。
【００３７】
上述のようにＰＣ１１０上でジョブ設定が編集・登録されると、登録されたジョブ一覧に関するデータのハッシュ値Ａを生成し、スキャンユーティリティ４０４がＰＣ１１０内に管理するエリアに記録しておく。既に設定値が記憶されている場合には、本設定により生成されたハッシュ値に更新する。なお本実施例でいうジョブ設定の登録終了とは、図７上での設定が保存されて図７のウィンドウが閉じられた状態で、図６上の設定が完了してウィンドウが閉じられたときとする。
【００３８】
さらに、オペレータの指示によりＰＣ１１０から指定されたプリンタへのジョブ一覧の出力を実行すると、スキャンユーティリティ４０４は、印刷を実行した時点でのジョブ一覧に関するデータのハッシュ値Ｂを生成し、スキャンユーティリティ４０４がＰＣ１１０内に管理するエリアに記録する。既に設定値が記憶されている場合には、本出力により生成されたハッシュ値に更新する。
すなわち、このスキャンユーティリティ４０４がＰＣ１１０内に管理するエリアには、上述のように登録された現在のジョブ一覧のハッシュ値Ａと、ジョブ一覧が最後に印刷された時点でのジョブ一覧のハッシュ値Ｂと、の２つが記憶されている。
【００３９】
そして、最後にジョブの編集・登録が行われたより後に、ジョブ一覧が出力されていないかどうかの検出は、これらの二つのハッシュ値、すなわち現在のハッシュ値Ａと、印刷実行時のハッシュ値Ｂとを比較し差分を検出することによって行うことができる。
【００４０】
このような比較により、最後にジョブの編集・登録が行われたより後にジョブ一覧が出力済みであると判定した場合には、ステップＳ１００５に進む。このときジョブ一覧が既に出力済みであっても、ＰＣ１１０からの操作であれば再びジョブ一覧の出力を受けつけることは可能である。
【００４１】
一方、最後にジョブの編集・登録が行われたより後に、ジョブ一覧がまだ出力されていないと判定した場合には、ステップＳ１００４に進む。ステップＳ１００４では、スキャンユーティリティ４０４に現在登録されているジョブ設定が、最後に印刷されたときのジョブ一覧におけるジョブ設定から変更されていることをオペレータに通知する。
【００４２】
このときのオペレータへのジョブ変更の通知は、単にジョブに変更があったことだけを通知して、変更内容の確認を促すようにしても良いが、より具体的に、変更のあったジョブ番号が識別可能なように表示した方がより好ましい。
ＰＣ１１０上であれば、表示画面上にそのような通知を表示すればよい。スキャナ１０１による通知であれば、例えば、ジョブ変更のランプ点灯をしたり、あるいは変更された設定値を含むジョブ番号をＬＥＤ２０１上に点滅して表示したりすることで具体的なジョブ番号が識別できる。これによって、オペレータはジョブに変更があったことをスキャナ側から直接確認することができる。
【００４３】
次にステップＳ１００５に進み、オペレータからジョブ一覧の出力指示があるか否かを確認する。このときの出力確認は、ＰＣ１１０上であれば、上述のステップＳ１００１からの処理を踏まえて、ジョブ設定の編集が行われた流れの場合なら、編集・登録を終了すると、同時にジョブ一覧を出力するか否かオペレータに確認する表示をしても良い。ジョブ設定の編集が行われていない場合（起動時など）でも、ジョブ設定の変更を知らせる表示を行うとともにジョブ一覧を出力するか否か確認する表示をする。変更が検出されない場合でも出力指示があるか確認する。
スキャナ１０１による出力確認であれば、次のように行うことができる。Ｓ１００４のジョブ設定の変更通知をし続けている状態で、オペレータがスタートボタン２０４を押すことにより、ＰＣ１１０へジョブ一覧の出力指示を行うこととする。変更が通知されている状態で、オペレータがキャンセルボタン２０５を押すことにより、ジョブ一覧を出力しないこととする。スキャナ１０１を操作するオペレータはジョブ設定変更の通知を受けて、原稿読み取りの実行前に、スキャナの操作上でジョブ一覧を出力してジョブ内容を確認するかどうかを選択することができる。
【００４４】
このステップＳ１００５で、オペレータがジョブ一覧を出力しないことを選択した場合には、ステップＳ１００７に進む。
オペレータからのジョブ一覧の出力指示があった場合には、上述のような表にしてジョブ一覧を指定されたプリンタから出力する。またこのとき出力に伴い、スキャンユーティリティ４０４は、今回出力したジョブ一覧に関するデータのハッシュ値Ｂ´を生成し、上述のように記憶したハッシュ値Ｂについて、値を更新する。この更新については、ＰＣ１１０上で印刷指示される場合と、スキャナ１０１からの印刷指示であるとを問わず、前回のジョブ一覧印刷時点でのハッシュ値について更新するものである。この出力およびハッシュ値更新の後、ステップＳ１００７に進む。
【００４５】
また、スキャンユーティリティ４０４がスキャナ１０１からの起動である場合でジョブの変更を検出しなかった場合には、自動的にＳ１００７に進む。ステップＳ１００７では、スキャナ１０１による原稿の読み取りと読み取り画像のＰＣ１１０への出力ならびにスキャナ１０１からの画像の読み取りを開始するかどうかを確認する。上述の一連の操作がスキャナ１０１の操作による場合には、自動的にステップＳ１００８に進み、スキャナ１０１では押下された番号情報に基づき原稿の読み取りを開始するとともに、ＰＣ１１０では出力された画像を読み取り、処理を終了する。
上述の操作がＰＣ１１０の操作による場合には、本実施例では、ＰＣ１１０のスキャンユーティリティ４０４には画像の読み取り開始の指示ボタンを設けていないため、自動的にステップＳ１００７は画像読み取りしないの判断となり、処理を終了する。しかし、スキャンユーティリティ４０４のメイン画面上にも画像の読み取り開始の指示ボタンを設けて、その指示ボタンの押下の有無から読み取りを開始するかどうかを確認するようにしても良い。
【００４６】
次に、図１１を用いて、オペレータによるスキャナ１０１の操作によりＰＣ１１０と連動して行う、スキャナ１０１の処理について説明する。
【００４７】
スキャナ１０１の電源ボタンを入れスキャナ１０１が起動されると、ステップＳ１１０１で、スキャナ１０１のＬＥＤ２０１に、ＰＣ１１０で登録された機能が割り当てられたジョブ番号を表示する。オペレータの選択ボタン２０２、２０３押下の操作により番号が選択され、選択ボタン押下に応じた番号の表示をする。
【００４８】
次にステップＳ１１０２で、使用する番号が選択された状態で、スタートボタンが押下されたか判定する。スタートボタンが押下された場合には、ステップＳ１１０３に進み、選択された番号情報をＰＣ１１０側に送る。このときＰＣ１１０では、スキャンユーティリティ４０４が起動されて、上述のように、現在のジョブ一覧のハッシュ値Ａと、ジョブ一覧が印刷された時点でのハッシュ値Ｂとの比較により、現在登録されているジョブ一覧の設定と、前回ジョブ一覧が印刷された時のジョブ一覧の設定に変更がないかの検出が行なわれる。
【００４９】
そのためスキャナ１０１では、ステップＳ１１０４で、ＰＣ１１０からのジョブ変更の有無を確認し、変更なしの情報を受取った場合には、ステップＳ１１０８に進み、原稿の読み取りを開始するとともに、画像データをＰＣ１１０に出力し、処理を終了する。
【００５０】
ＰＣ１１０からジョブ変更ありの情報を受取った場合には、スキャナ１０１はステップＳ１１０５に進み、上述のようにこの変更情報に基づき、登録されている現在のジョブ一覧の設定内容が、前回ジョブ一覧が印刷された時点でのジョブ一覧の設定内容から変更されたことをオペレータに通知する。
【００５１】
このようにジョブ変更表示がされている状態で、スキャナ１０１は、次にステップＳ１１０６に進み、ジョブ一覧の出力を行うかどうか確認する。上述のように、ジョブ変更が表示されている状態で、オペレータが再びスタートボタン２０４を押すことにより、ＰＣ１１０へのジョブ一覧印刷の指示とする。また、ジョブ変更が通知されている状態で、オペレータがキャンセルボタン２０５を押すことにより、ジョブ一覧を印刷しないこととする。
【００５２】
上記何れかの処理の後、原稿読み取りを続行し、読み取った画像データをＰＣ１１０に出力して処理を終了する。このような流れによってオペレータはジョブ一覧の印刷を、ＰＣ１１０の操作によらず、スキャナ１０１側から指示できるようになり、ジョブ設定の確認が容易になり、読み取り作業を向上することできる。
【００５３】
先の図１０のステップＳ１００５で、ジョブに変更があってもオペレータがジョブ一覧の印刷を指示しなかった場合には、上述のように処理を行うため、ハッシュ値Ｂについては更新されない。そのため、スキャンユーティリティ４０４が別の機会に起動された際には再び、印刷されているジョブ一覧の設定値が、現在のジョブ一覧の設定値と変更されていることが検出できる。そのため、スキャナ１０１を共用する複数のオペレータがいる場合でも、印刷されているジョブ一覧上の設定に変更があることを認識しないまま画像読み取りを実行してしまうことを防止できる。
【００５４】
なお、本実施形態では、スキャナ１０１のＬＥＤについて、１桁の数字表示器で説明したが、それに限らず、複数桁の表示器でも良い。また、ジョブの割り当てを番号で表示し、番号を９個まで選択できるよう説明したが、番号でなくともよく、９個でなくても良い。
またスキャナ１０１の操作によるスキャンチューティリティ４０４の起動とこれによるジョブ一覧の変更検出は、スキャナ１０１のスタートボタンの押下によって起動するほかにも、スキャナ１０１の電源の入りを読み取ったときに起動し、上述のようなジョブ一覧変更の検出を行ってもよい。
また、上記実施例では、表示器を備えたスキャナを用いて説明したが、表示器がなく機能ボタンだけを備えたスキャナでも良い。この場合にも、ランプ点灯などによりスキャナ１０１でのオペレータへのジョブ変更の通知は可能である。
また、スキャンユーティリティによるジョブ一覧の出力は、プリンタへの出力による印刷に限らず、例えば、ＰＣの操作と連動して表示可能で、スキャナのそばに設置可能な表示装置などに表示をさせることによっても良い。
【００５５】
また、上記実施形態では、ホストコンピュータ２１４との画像転送インターフェースにＵＳＢを用いたが、ＳＣＳＩやＦｉｒｅＷｉｒｅ等を用いてもよい。
また、上記実施形態では、シート状の原稿を搬送させて画像読み取りをおこなうシートフィード方式で説明をしたが、原稿台に原稿を置いて画像読み取りをおこなうフラットベッド方式でも良い。
【図面の簡単な説明】
【００５６】
【図１】本発明実施例に係る読み取りシステムの構成例を示す図である。
【図２】画像読み取り装置上の操作パネルの外観を示す図である。
【図３】画像読み取り装置のブロック図を示す。
【図４】制御ソフトの構成図を示す。
【図５】スキャンユーティリティのメイン画面を示す。
【図６】設定情報を登録または編集するための画面を示す。
【図７】スキャナの設定画面を示す。
【図８】設定情報の一覧を印刷した時の概略図を示す。
【図９】図８の一覧表を印刷して給紙口カバーに貼り付けたときの概略図を示す。
【図１０】ジョブの設定・登録に伴うスキャンユーティリティの処理およびオペレータによるスキャナの操作に伴ったスキャンユーティリティの処理を示す。
【図１１】スキャナのジョブの変更検知および変更通知を含む処理を示す。
【符号の説明】
【００５７】
１０１：スキャナ
１０３：操作パネル
１１０：ＰＣ
１１４：プリンタ
２０１：７セグメントＬＥＤ
２０２：選択ボタン
２０３：選択ボタン
２０４：スタートボタン
２０５：ストップボタン
３０４：外部Ｉ／Ｆ
３０５：システムバス
３０６：ＡＤＦスキャナ部
３０７：スイッチ制御部
３０８：ＬＥＤ制御部
４０１：ＯＳ
４０２：デバイスドライバ
４０３：画像入力用ドライバ
４０４：スキャナユーティリティ
４０５：状態確認モジュール
５０１：リスト
５０２：スキャナの設定表示部
５０３：機能設定表示部
５０５：メニューバー
【図１】
2010041070.tif 000003
【図２】
2010041070.tif 000004
【図３】
2010041070.tif 000005
【図４】
2010041070.tif 000006
【図５】
2010041070.tif 000007
【図６】
2010041070.tif 000008
【図７】
2010041070.tif 000009
【図８】
2010041070.tif 000010
【図９】
2010041070.tif 000011
【図１０】
2010041070.tif 000012
【図１１】
2010041070.tif 000013